(57)【要約】【課題】一般のユーザーによる再生動作を制限することが可能な情報再生方法を提供すること。【解決手段】この発明の一例の情報記録方法は、登録された管理ユーザーとして認証されることを条件として、一般ユーザーによる記録動作を制限する制限情報の入力を受け付け（ＳＴ５０８、ＳＴ５０９）、前記受け付けられた制限情報を前記情報記憶媒体の管理領域へ記録し（ＳＴ５１０）、前記登録された一般ユーザーとして認証されることを条件として、前記情報記憶媒体の管理領域に記録された前記制限情報に基づき、記録動作を制限する。【選択図】      図１３
2006107556.tif 000002
【特許請求の範囲】
【請求項１】
データ領域及び管理領域を備えた情報記憶媒体に対して情報を記録する情報記録装置であって、
ユーザーを登録する登録手段と、
ユーザーを認証する認証手段と、
前記認証手段の認証結果に基づきユーザーを受け付ける受付手段と、
前記受付手段により受け付けられたユーザーの操作に対応して、再生を許可するユーザーをコンテンツ毎に設定する再生許可設定手段と、
を備えたことを特徴とする情報記録装置。
【請求項２】
前記受付手段により受け付けられたユーザーの操作に対応して、このユーザーによる再生が許可されたコンテンツを出力する再生許可コンテンツ出力手段と、
コンテンツを再生時に、許可されたユーザーかどうかを判定するユーザー判定手段と、
前記ユーザー判定手段により許可されていないユーザーと判定された場合、コンテンツの出力を中止する出力中止制御手段と、
を備えたことを特徴とする請求項１に記載の情報記録装置。
【請求項３】
データ領域及び管理領域を備えた情報記憶媒体に対して情報を記録する情報記録装置であって、
管理ユーザー及び一般ユーザーを登録する登録手段と、
ユーザーを認証する認証手段と、
前記認証手段により管理ユーザーとして認証されることを条件として、一般ユーザーによる記録動作を制限する制限情報の入力を受け付ける受付手段と、
前記受付手段により受け付けられた制限情報を前記情報記憶媒体の管理領域へ記録する記録手段と、
前記認証手段により一般ユーザーとして認証されることを条件として、前記情報記憶媒体の管理領域に記録された前記制限情報に基づき、記録動作を制限する制御手段と、
を備えたことを特徴とする情報記録装置。
【請求項４】
データ領域及び管理領域を備えた情報記憶媒体に対して情報を記録する情報記録装置であって、
管理ユーザー及び一般ユーザーを登録する登録手段と、
ユーザーを認証する認証手段と、
前記認証手段により管理ユーザーとして認証されることを条件として、一般ユーザーによる記録動作を制限する制限情報の入力を受け付ける受付手段と、
前記受付手段により受け付けられた制限情報を記憶する記憶手段と、
前記認証手段により一般ユーザーとして認証されることを条件として、前記記憶手段に記憶された前記制限情報に基づき、記録動作を制限する制御手段と、
を備えたことを特徴とする情報記録装置。
【請求項５】
前記制限情報は、所定の時間帯の記録、所定の放送局が提供する番組の記録、及び所定のワードを含む番組情報の番組の記録のうちの少なくとも一つを制限する情報であり、
前記制限手段は、前記制限情報に基づき、所定の時間帯の記録、所定の放送局が提供する番組の記録、及び所定のワードを含む番組情報の番組の記録のうちの少なくとも一つを制限する、
ことを特徴とする請求項３又は４に記載の情報記録装置。
【請求項６】
データ領域及び管理領域を備えた情報記憶媒体に対して情報を記録する情報記録方法であって、
管理ユーザー及び一般ユーザーを登録し、
前記登録された管理ユーザーとして認証されることを条件として、一般ユーザーによる記録動作を制限する制限情報の入力を受け付け、
前記受け付けられた制限情報を前記情報記憶媒体の管理領域へ記録し、
前記登録された一般ユーザーとして認証されることを条件として、前記情報記憶媒体の管理領域に記録された前記制限情報に基づき、記録動作を制限する、
ことを特徴とする情報記録方法。
【請求項７】
データ領域及び管理領域を備えた情報記憶媒体に対して情報を記録する情報記録方法であって、
管理ユーザー及び一般ユーザーを登録し、
前記登録された管理ユーザーとして認証されることを条件として、一般ユーザーに対する制限情報の入力を受け付け、
前記受け付けられた制限情報を記憶し、
前記登録された一般ユーザーとして認証されることを条件として、前記記憶された前記制限情報に基づき、記録動作を制限する、
ことを特徴とする情報記録方法。
【請求項８】
データ領域及び管理領域を備えた情報記憶媒体から情報を再生する情報再生装置であって、
管理ユーザー及び一般ユーザーを登録する登録手段と、
ユーザーを認証する認証手段と、
前記認証手段により一般ユーザーとして認証されることを条件として、前記情報記憶媒体の管理領域に記録された一般ユーザーによる再生動作を制限する制限情報に基づき、再生動作を制限する制御手段と、
を備えたことを特徴とする情報再生装置。
【請求項９】
データ領域及び管理領域を備えた情報記憶媒体から情報を再生する情報再生装置であって、
管理ユーザー及び一般ユーザーを登録する登録手段と、
ユーザーを認証する認証手段と、
前記認証手段により管理ユーザーとして認証されることを条件として、一般ユーザーによる再生動作を制限する制限情報の入力を受け付ける受付手段と、
前記受付手段により受け付けられた制限情報を記憶する記憶手段と、
前記認証手段により一般ユーザーとして認証されることを条件として、前記記憶手段に記憶された前記制限情報に基づき、再生動作を制限する制御手段と、
を備えたことを特徴とする情報再生装置。
【請求項１０】
前記制限情報は、所定の時間帯の再生、所定の放送局が提供する番組の再生、及び所定のワードを含む番組情報の番組の再生のうちの少なくとも一つを制限する情報であり、
前記制限手段は、前記制限情報に基づき、所定の時間帯の再生、所定の放送局が提供する番組の再生、及び所定のワードを含む番組情報の番組の再生のうちの少なくとも一つを制限する、
ことを特徴とする請求項８又は９に記載の情報再生装置。
【請求項１１】
データ領域及び管理領域を備えた情報記憶媒体から情報を再生する情報再生方法であって、
管理ユーザー及び一般ユーザーを登録し、
ユーザーを認証し、
前記登録された一般ユーザーとして認証されることを条件として、前記情報記憶媒体の管理領域に記録された一般ユーザーによる再生動作を制限する制限情報に基づき、再生動作を制限する、
ことを特徴とする情報再生方法。
【請求項１２】
データ領域及び管理領域を備えた情報記憶媒体から情報を再生する情報再生方法であって、
管理ユーザー及び一般ユーザーを登録し、
ユーザーを認証し、
前記登録された管理ユーザーとして認証されることを条件として、一般ユーザーによる再生動作を制限する制限情報の入力を受け付け、
前記受け付けられた制限情報を記憶し、
前記登録された一般ユーザーとして認証されることを条件として、前記記憶された前記制限情報に基づき、再生動作を制限する、
ことを特徴とする情報再生方法。
【請求項１３】
映像情報や音声情報などを記録可能な情報記憶媒体において、
管理領域とデータ領域を備え、
前記データ領域は、映像、音声デジタルストリーム信号のデータが１以上のオブジェクトに分かれて記録できるように構成され、
前記管理領域は、各オブジェクトの再生順を管理する管理情報と前記オブジェクトの属性を示す情報を含み、
前記管理情報は、再生を許可されたユーザーの情報を含むことを特徴とする情報記憶媒体。
【請求項１４】
前記管理領域は、当該情報記憶媒体を使用するユーザーの情報を含むことを特徴とする請求項１３に記載の情報記録媒体。
【発明の詳細な説明】
【技術分野】
【０００１】
本発明は、ＤＶＤなどの情報記憶媒体に対して情報を記録する情報記録装置及び情報記録方法に関する。また、本発明は、ＤＶＤなどの情報記憶媒体から情報を再生する情報再生装置及び情報再生方法に関する。さらに、本発明は、上記した情報記憶媒体に関する。
【背景技術】
【０００２】
ＤＶＤなどの情報記憶媒体に対してデジタル映像を記録したり、このような情報記憶媒体からデジタル映像を再生したりする記録再生に関する様々な技術が提案されている（特許文献１参照）。
【０００３】
また、近年、現行のアナログ地上波放送に加え、ＢＳデジタルＴＶ放送、地上デジタル放送が続々とスタートし、ユーザーはさまざまな番組を見る事ができるようになっている。また、それに伴い、ＥＰＧ（電子番組ガイド）が番組とともに送られてきており、これにより、ユーザーはお気に入りの番組自由に選べるようになってきている。
【特許文献１】特開２０００−３２２８７５
【発明の開示】
【発明が解決しようとする課題】
【０００４】
しかしながら、放送の中には、子供が見るべきでない番組も存在している。また、上記したような多チャンネル化により、子供が延々とＴＶを見続けるという問題も予想される。
【０００５】
本発明の目的は、上記課題を解決するためになされたものであり、所定のユーザーによる記録動作を制限することが可能な情報記録装置及び情報記録方法を提供することにある。また、本発明の目的は、所定のユーザーによる再生動作を制限することが可能な情報再生装置及び情報再生方法を提供することにある。さらに、本発明の目的は、所定のユーザーによる記録動作又は再生動作を制限することが可能な情報記録装置及び情報再生装置に適用可能な情報記憶媒体を提供することにある。
【課題を解決するための手段】
【０００６】
この発明の情報記録装置、情報記録方法、情報再生装置、情報再生方法、及び情報記憶媒体は、以下のように構成されている。
【０００７】
（１）この発明は、データ領域及び管理領域を備えた情報記憶媒体に対して情報を記録する情報記録装置であって、管理ユーザー及び一般ユーザーを登録する登録手段と、ユーザーを認証する認証手段と、前記認証手段により管理ユーザーとして認証されることを条件として、一般ユーザーによる記録動作を制限する制限情報の入力を受け付ける受付手段と、前記受付手段により受け付けられた制限情報を前記情報記憶媒体の管理領域へ記録する記録手段と、前記認証手段により一般ユーザーとして認証されることを条件として、前記情報記憶媒体の管理領域に記録された前記制限情報に基づき、記録動作を制限する制御手段とを備えたことを特徴とする情報記録装置である。
【０００８】
（２）この発明は、データ領域及び管理領域を備えた情報記憶媒体に対して情報を記録する情報記録方法であって、管理ユーザー及び一般ユーザーを登録し、前記登録された管理ユーザーとして認証されることを条件として、一般ユーザーによる記録動作を制限する制限情報の入力を受け付け、前記受け付けられた制限情報を前記情報記憶媒体の管理領域へ記録し、前記登録された一般ユーザーとして認証されることを条件として、前記情報記憶媒体の管理領域に記録された前記制限情報に基づき、記録動作を制限することを特徴とする情報記録方法である。
【０００９】
（３）この発明は、データ領域及び管理領域を備えた情報記憶媒体から情報を再生する情報再生装置であって、管理ユーザー及び一般ユーザーを登録する登録手段と、ユーザーを認証する認証手段と、前記認証手段により一般ユーザーとして認証されることを条件として、前記情報記憶媒体の管理領域に記録された一般ユーザーによる再生動作を制限する制限情報に基づき、再生動作を制限する制御手段とを備えたことを特徴とする情報再生装置である。
【００１０】
（４）この発明は、データ領域及び管理領域を備えた情報記憶媒体から情報を再生する情報再生方法であって、管理ユーザー及び一般ユーザーを登録し、ユーザーを認証し、前記登録された一般ユーザーとして認証されることを条件として、前記情報記憶媒体の管理領域に記録された一般ユーザーによる再生動作を制限する制限情報に基づき、再生動作を制限することを特徴とする情報再生方法である。
【００１１】
（５）この発明は、映像情報や音声情報などを記録可能な情報記憶媒体において、管理領域とデータ領域を備え、前記データ領域は、映像、音声デジタルストリーム信号のデータが１以上のオブジェクトに分かれて記録できるように構成され、前記管理領域は、各オブジェクトの再生順を管理する管理情報と前記オブジェクトの属性を示す情報を含み、前記管理情報は、再生を許可されたユーザーの情報を含むことを特徴とする情報記憶媒体である。
【発明の効果】
【００１２】
本発明によれば、所定のユーザーによる記録動作を制限することが可能な情報記録装置及び情報記録方法を提供できる。また、本発明によれば、所定のユーザーによる再生動作を制限することが可能な情報再生装置及び情報再生方法を提供できる。さらに、本発明によれば、所定のユーザーによる記録動作又は再生動作を制限することが可能な情報記録装置及び情報再生装置に適用可能な情報記憶媒体を提供できる。より具体的には、本発明により、管理ユーザー（両親）により、一般ユーザー（子供）による所定の時間帯の記録／再生、所定の放送局が提供する番組の記録／再生、及び所定のワードを含む番組情報の番組の記録／再生を制限（禁止）することができる。
【発明を実施するための最良の形態】
【００１３】
以下、図面を参照し、本発明の実施形態について説明する。
【００１４】
図１は、本発明の情報記録再生装置（情報記録装置／情報再生装置）により記録再生可能な情報記憶媒体１００（ＤＶＤディスク）のデータ構造の一例を示す図である。
【００１５】
図１に示すように、情報記憶媒体１００は、リードイン領域１１０、ボリューム／ファイル構造情報領域（管理領域）１１１、データ領域１１２、リードアウト領域１１３を備えている。ボリューム／ファイル構造情報領域１１１は、ファイルシステムを格納する領域である。データ領域１１２は、データファイル実際に記録するための領域である。
【００１６】
ファイルシステムは、どのファイルがどこに記録されているかを示す情報で構成されている。データ領域１１２は、一般のコンピュータが記録する一般コンピュータ情報記録領域１２０と、ＡＶデータ等を記録するＡＶデータ記録領域１２１を含む。ＡＶデータ記録領域１２１は、ＡＶデータの管理をするためのＥＸ＿ＶＭＧファイルを格納するＡＶデータ管理情報記録領域１３０と、拡張ビデオレコーディング規格のオブジェクトデータ（ＥＶＯＢＳ）ファイル（ＶＲＯファイル）が記録されるＶＲオブジェクト群記録領域１２２と、デジタル放送に対応したオブジェクト（ＥＳＯＢＳ：Extended Stream object set）が記録されるＳｔｒｅａｍオブジェクトデータ（ＥＳＯＢＳ）ファイル（ＳＲＯファイル）が記録されるＳｔｒｅａｍオブジェクト群記録領域１３１を含む。
【００１７】
ＤＶＤディスクでは、フォーマット毎にディレクトリが区別されている。例えば、DVD-Video（ROM Video）のフォーマットのディスクには、VIDEO-TSと呼ばれるディレクトリが割り当てられる。DVD-RTR（録再ＤＶＤ）のフォーマットのディスクには、DVD-RTAVと呼ばれるディレクトリが割り当てられる。デジタル放送対応のＤＶＤフォーマットのディスクには、DVD_HDVRと呼ばれるディレクトリが割り当てられる。
【００１８】
つまり、図３に示す様に、DVD_HDVRと呼ばれるディレクトリに、データの管理を行うためのＥＸ＿ＶＭＧファイルと、アナログ放送及びラインインなどのアナロク記録用のオブジェクトファイルであるＶＲＯと、デジタル放送のオブジェクトであるＳＲＯファイルが記録される。ＳＲＯファイルは、ＥＳＯＢＳ(Extened Stream object Set)とし、図２に示される様に管理データは、ＶＲと共通のＥＸ＿ＶＭＧファイルに記録され、ＶＲと共通に制御され、ＥＸ＿ＣＥＬＬ単位でリンクされ、再生場所が再生時間単位で指定される。
【００１９】
この管理データは、VR_MANEGER.IFOと称される。ここで、TMAPTを別ファイルにする場合、図３に示すように、HR_VTMAP.IFO、HR_STMAP.IFOとそのバックアップファイルであるHR_VTMAP.BUP、HR_STMAP.BUPが追加されている。
【００２０】
ＥＳＯＢＳ／ＥＶＯＢＳは、１以上のＥＳＯＢ／ＥＶＯＢで構成される。ＥＳＯＢ／ＥＶＯＢは、例えば、１番組に相当する。ＥＳＯＢ／ＥＶＯＢは、１以上のＥＳＯＢＵ（Extended Stream object unit）／ＥＶＯＢＵで構成され、ＥＳＯＢＵ／ＥＶＯＢＵは、一定時間間隔分のオブジェクトデータもしくは、１以上のＧＯＰデータに相当する。ただし、転送レートが低い場合、１ｓ以内で１ＧＯＰが送られない場合が考えられる（ＶＲでは内部エンコードであるため、自由に設定できるが、デジタル放送の場合エンコードが放送局であるため、どんなデータがくるか不明な可能性がある）。また、レートが高く、Iピクチャが頻繁に送られた場合などが考えられる。その場合、ＥＳＯＢＵが頻繁に区切られ、それに伴いＥＳＯＢＵの管理情報が増え、全体の管理情報が肥大化するおそれがある。そこで、ＥＳＯＢＵは総録画時間により決めた一定時間間隔（最小の制限はＥＳＯＢ最後のＥＳＯＢＵ以外、ただし、区切りはピクチャ単位）または１以上ＧＯＰで区切るのが適当となる。
【００２１】
１ＥＳＯＢＵは、１以上のPacket Groupで構成され、Packet Groupは、１６ｐａｃｋ（１Ｐａｃｋ＝１ＬＢ：２０４８バイト）とする（32640バイト）。Packet GroupはPacket Group HeaderとＴＳパケット（１７０個）で構成されている。各ＴＳパケットの到着時間は、各TSパケットの前に配置されたPATS（Packet Arrival Time:4ハ゛イト）で示される。
【００２２】
ここで、到着時間は、録画開始を０（または所定の値）とし、録画終了までリニアにカウントアップさせる必要がある。そのため、録画中、複数の番組を一度に録画する場合や編集された番組などの場合、ＳＴＣのディスコンティニューが発生する可能性があり、そのような場合、ＳＴＣの調整が必要となるが、この場合でも転送時間に関しては、リニアに増える必要があるため、ＳＴＣの乗り換えに影響されないよう内部カウンタで処理する方法と切り替え時にＥＳＯＢを分ける方法が有る。ただし、リニアにする場合、その内部カウンタのカウント間隔は再生同期の合っている状態のＰＣＲ取り込みと次のＰＣＲ取り込み間隔のＳＴＣのカウント間隔とのカウント時間の間隔を同期させる必要がある。
【００２３】
また、ＥＳＯＢを分ける場合、ディスコンティニューするタイミングを正確に知る必要がある。但し、Packet Groupには２つまでのＥＳＯＢが混在する事を許可する。つまり、ＥＳＯＢ毎にアラインしないと言うことである。
【００２４】
１ＥＶＯＢＵは、複数の様々な種類のデータからなっているパックによって構成されている。１パックは１つ以上のパケットとパックヘッダで構成され、各ビデオデータ、オーディオデータはこのパケット内に記録されている。ここで、パックは、データ転送処理を行う最小単位で、２０４８バイトである。
【００２５】
ここで、管理情報について、図３〜図１１にしたがって説明する。
【００２６】
ＨＤＶＲディレクトリは、図３に示されるように、ＤＶＤの管理情報ファイルであるＨＲ＿ＭＡＮＧＥＲ．ＩＦＯと、アナログビデオオブジェクトファイルであるＶＲＯファイルとデジタル放送対応用のＳＲＯファイルで構成されている。管理情報であるＶＭＧファイルは、図４に示されるように、ＤＶＤ−ＶＲ規格の管理情報にＳＴＲ＿ＦＩＴ（Stream File Information table）が追加されている。
【００２７】
ＶＲデータとストリームデータは、図２、３に示す様にＶＭＧ内に保存され、管理される。ＶＲのオブジェクトの管理は、ＥＸ＿Ｍ＿ＡＶＦＩＴに保存され、ストリームのオブジェクトの管理は、ＥＸ＿ＳＴＲ＿ＦＩＴ（Extended Stream File Information table）に保存されている。
【００２８】
ＥＸ＿ＳＴＲ＿ＦＩＴは、ＥＸ＿ＳＴＲ＿ＦＩＴＩ（ＥＸ＿ＳＴＲ＿ＦＩＴ Information）と１以上のＥＸ＿ＳＴＲ＿ＦＩ＿ＳＲＰとそのＳＲＰで示されるＥＸ＿ＳＴＲ＿ＦＩ（Extended  Stream File Information）で構成される。
【００２９】
ＥＸ＿ＳＴＲ＿ＦＩＴＩは、ＥＸ＿ＳＴＲ＿ＦＩの総数と本テーブルの終了アドレスで構成される。ＥＸ＿ＳＴＲ＿ＦＩは、ＥＸ＿ＳＴＲ＿ＦＩ_ＧＩ（General  Information）、1以上のＥＳＯＢＩ＿ＳＲＰ（Extended  Stream  Object  information  Search Pointer）、ＳＲＰと同数でその値で示されるＥＳＯＢＩ（ESOB Information）で構成される。
【００３０】
再生情報は、ＥＸ＿ＰＧＣ情報で、通常のＶＲフォーマットと同じで、ＯＲＧ＿ＥＸ＿ＰＧＣ情報は録画時に機器が自動で作成し、録画順に設定し、ＵＤ＿ＥＸ＿ＰＧＣ情報は、ユーザーが自由に追加する再生順番に従って作成され、ＰＬＡＹＬＩＳＴと呼ばれている。この二つのフォーマットはＥＸ＿ＰＧＣレベルで共通で、そのＥＸ＿ＰＧＣフォーマットは図７、８に示される。
【００３１】
ここで、ＥＸ＿ＰＧ情報には、このＥＸ＿ＰＧが更新された日時情報が保存される。これにより、本ＥＸ＿ＰＧが何時編集されたかがわかる。また、テキスト情報として番組名用には、PRM_TXTが使用され、その他のテキスト情報を保存するためにIT_TXT領域にその他の情報（監督名、主演名、…）を保存し、本ＥＸ＿ＰＧＩにはその保存したIT_TXTのSRP番号を設定して、リンクさせ、さらに、IT_TXTデータの方にもＥＸ＿ＰＧ番号を設定している。ここで、ＥＸ＿ＰＧ番号は、このディスクに記録し初めてからの絶対番号で、他のＥＸ＿ＰＧを削除しても変わらないインデックス番号としている。
【００３２】
また、認証データファイルとして、HDVR_UID.DATを追加している。この認証データファイルにより、各ユーザー情報を設定することができる。つまり、この認証データファイルにより、管理ユーザー及び一般ユーザーを登録することができ、一般ユーザーによる記録動作及び再生動作を制限することができる。言い換えると、媒体を使用するユーザーとして管理ユーザー及び一般ユーザーを登録することができ、再生を許可されたユーザーとして一般ユーザーを登録することができる。
【００３３】
図９に示すように、認証データファイルは、HDVR_UIDGIと、１以上のUID_SRPと、そのUID_SRPの示すUID_inforで構成されている。HDVR_UIDGIは、UID_SRPの数と本ファイルのエンドアドレスで構成されている。UID_inforは、User_Name、User_Number、Usr_Level：0=一般（一般ユーザー）、1=管理者（管理ユーザー）、Useable_S_Time：使用許可開始時間、Useable_E_Time：使用許可終了時間、User_CD：認証データ、禁止放送局数：視聴を禁止されている放送局（管理者の場合は0を設定）、禁止放送局情報（例：地上デジタル5ｃｈ）、禁止ワード数（管理者は0を設定、ＥＰＧなどで予約する場合に禁止ワードのある番組は予約をキャンセルする）、禁止ワード情報（例：32バイトワード）で構成されている。ただし、管理ユーザーには禁止局、禁止ワードの設定は無い。認証方法に応じて、認証データの種類は異なる。例えば、パスワードによる認証方法の場合は文字データであり、指紋、声紋による認証方法の場合はその指紋、声紋のパターン情報であり、指等の血管の模様や目の虹彩パターンによる認証方法の場合はその血管の模様や目の虹彩パターンの情報である。いずれにしても、認証データは個人を特定可能なデータである。このような登録された認証データ（User_CD）と、後述する認証I/F部により取得された認証データとを比較して個人が特定される。
【００３４】
なお、このHDVR_UID.DATを情報記憶媒体毎に登録するようにしてもよいし、機器（情報記録再生装置）毎に登録するようにしてもよい。HDVR_UID.DATを機器毎に登録する場合は、例えば機器のメモリ(EE-PROM等)内もしくはＨＤＤ内にHDVR_UID.DATを格納することになる。また、図１０，１１に示すように、ＤＶＤのメーカー汎用情報であるＥＸ＿ＭＮＦＩＴを利用して、上記認証データを登録することも考えられる。
【００３５】
また、HDVR_UID.DATにより特定されるユーザーと再生情報であるEVOBI/ESOBIとを対応づける方法と、HDVR_UID.DATにより特定されるユーザーと再生制御情報であるEX_PGCIとを対応付ける方法のいずれかが考えられる。EVOBIに対応づける場合は、図５に示すようにEVOBI_GI内にUser_Number / User_Name を設定する。ESOBIに対応付ける場合は、図６に示すように、ESOBI_GI内にUser_Number / User_Name を設定する。
【００３６】
HDVR_UID.DATにより特定されるユーザーとPGCとを対応づける場合は、図８に示すように、EX_PGI内にUser_Number / User_Name を設定する。或いは、図８に示すように、EX_CELL内にUser_Number / User_Name を設定する。
【００３７】
なお、EVOBは、複数のEX_CELLから同時に指定されることもありうる。よって、EVOBI内にUser_Number / User_Name を設定するほうが、EX_CELLIやEX_PGI内にUser_Number / User_Name を設定するよりも、容量の点で優れる（無駄に容量を消費しなくて済む）。
【００３８】
或いは、図１０及び図１１に示すように、ディスク製造会社の固有領域において、ＥＶＯＢ（ＥＶＯＢの番号又はＩＤ）とユーザー（User_Number / User_Name）とを対応付けるようにしてもよいし、ＥＳＯＢ（ＥＳＯＢの番号又はＩＤ）とユーザー（User_Number / User_Name）とを対応付けるようにしてもよい。
【００３９】
ユーザー登録の仕方としては、例えば、最初に管理ユーザーを登録し、管理ユーザーにより一般ユーザーを登録する。また、管理ユーザーにより一般ユーザーを登録する際、同時に動作制御情報（つまり、動作時間帯、禁止局、禁止ワード等）を設定する。或いは、一般ユーザーを登録した後、必要に応じて、動作制御情報を設定するようにしてもよい。前者の設定によれば、管理ユーザーが動作制限情報の登録作業を行う必要があるが、登録された一般ユーザーに対しては最初から動作制御情報が設定されているため、最初から動作制限が機能する。後者の設定によれば、管理ユーザーの手を煩わせことなく動作制限情報の登録作業を実行することができるが、動作制御情報が設定されるまでの間は、一般ユーザーは動作制限を受けることなく自由に記録再生を楽しむことができる。以上のことから、前者の設定の方が、動作制限漏れがないと言える。
【００４０】
また、この情報記録再生装置を、LAN経由で接続された端末による使用を許した場合であっても、この端末を操作する一般ユーザーに対して動作制限を機能させることができる。
【００４１】
以下、図１２を参照して、本発明の一例に係る情報記録再生装置（情報記録装置／情報再生装置）の概略構成について説明する。
【００４２】
図１２に示すように、情報記録再生装置は、ＭＰＵ部２００、キー入力部２１０、表示部２１２、ユーザー認証Ｉ／Ｆ部２１４、時計部２１６、ＬＡＮ Ｉ／Ｆ（イーサネット（登録商標）Ｉ／Ｆ）部２１８、緊急放送検出部２２０、ディスクドライブ部２２２、ＨＤＤ部２２４、Ｄ−ＰＲＯ部２２６、一時記憶部２２８、Ａ／Ｖ入力部２３０、地上波チューナー部２３２、地上波デジタルチューナ部２３４、エンコーダ部２４０、デコーダ部２５０、ＳＴＣ部（System Time Counter）２６０、ＰＡＴＳ用の内部カウンタ２６１、ＳＴＢ／ＢＳデジタルチューナ部２６２、Ｖミキシング部２６３、フレームメモリ部２６４、ＴＶ用Ｄ／Ａ部２６５などを備えている。
【００４３】
ＭＰＵ部２００は、管理データ作成部２０１、ワークＲＡＭ部２０２などを備えている。エンコーダ部２４０は、Ａ／Ｄ変換部２４１、セレクタ２４２、ビデオエンコード部２４３、オーディオエンコード部２４４、フォーマッタ部２４５、バッファメモリ部２４６などを備えている。デコーダ部２５０は、分離部２５１、ＴＳパケット転送部２５２、ビデオデコード部２５３、ＳＰデコード部２５４、オーディオデコード部２５５、縮小画像生成部２５６、Ｖ−ＰＲＯ部２５７、オーディオ用Ｄ／Ａ変換部２５８などを備えている。ＳＴＢ／ＢＳデジタルチューナ部２６２には、デジタル放送を受信するためのアンテナが付いている。ＳＴＣ部２６０は、２７ＭＨｚベースでカウントする。
【００４４】
記録時の信号の流れは、フォーマッタ部２４５は、ＳＴＢ／ＢＳデジタルチューナ部２６２で受け取ったＴＳパケットデータをパケットグループ化し、ワークＲＡＭ部２０２へ保存する。ワークＲＡＭ部２０２に一定量のデータが蓄積された時点で、ディスクドライブ部２２２は、ディスクに対して蓄積されたデータを記録する。また、ＴＳパケットの到着時間はＰＡＴＳ用の内部カウンタ２６１によりカウントされる。各ＴＳパケットの先頭には到着時間が付与され、到着時間が付与されたＴＳパケットがバッファされる。ＰＡＴＳ用の内部カウンタ２６１は、ＳＣＲによりカウント間隔の微調整は行うがＳＴＣのようにＳＣＲの値をロードする事は無い。フォーマッタ部２４５は、受信したＴＳパケットを１７０パケットずつグルーピング化し、パケットグループヘッダを作成する。パケットグループの先頭のパケットのＰＡＴＳの上位２バイトのみにヘッダデータが格納され、それ以外のパケットのＰＡＴＳは下位４バイトのみがＴＳパケットとともに（ＴＳパケットの前に）保存される。
【００４５】
また、地上波チューナー部２３２やＡ／Ｖ入力部２３０から入力されたアナログ信号は、Ａ／Ｄ変換部２４１でデジタル信号に変換される。変換されたデジタル信号のうち、ビデオ信号はビデオエンコード部２４３へ入力され、オーディオ信号はオーディオエンコード部２４４へ入力される。ビデオエンコード部２４３は、ビデオ信号をＭＰＥＧ圧縮する。オーディオエンコード部２４４は、オーディオ信号をＡＣ３圧縮またはＭＰＥＧオーディオ圧縮する。
【００４６】
ビデオエンコード部２４３及びオーディオエンコード部２４４は、圧縮データを２０４８バイトにパケット化し、フォーマッタ部２４５へ入力する。フォーマッタ部２４５は、各パケットをパック化し、プログラムストリームとして多重化し、Ｄ−ＰＲＯ部２２６へ送信する。
【００４７】
Ｄ−ＰＲＯ部２２６は、１６パック毎にＥＣＣブロックを形成し、エラー訂正データを付ける。ディスクドライブ部２２２は、エラー訂正データが付与されたＥＣＣブロックをディスクに記録する。ディスクドライブ部２２２がシーク中やトラックジャンプなどの動作中でビジィー状態の場合には、ＨＤＤ部２２４に記録され、ディスクドライブ部２２２の準備待ちとなる。
【００４８】
さらに、フォーマッタ部２４５は、録画中に、各切り分け情報を作成し、定期的にＭＰＵ部２００へ送る（ＧＯＰ先頭割り込みなど）。切り分け情報としては、ＥＶＯＢＵ（ＥＳＯＢＵ）のパック数、ＥＶＯＢＵ（ＥＳＯＢＵ）の先頭からのIピクチャのエンドアドレス、ＥＶＯＢＵ（ＥＳＯＢＵ）の再生時間などである。
【００４９】
また、再生時の信号の流れは、ディスクドライブ部２２２がディスクからデータを読み出し、Ｄ−ＰＲＯ部２２６が読み出したデータのエラー訂正を行い、エラー訂正済みのデータをデコード部２５０へ入力する。ＭＰＵ部２００は、デコーダ部２５０に入力されるデータがＶＲデータか、ＳＲデータかの種別を判定（Ｃｅｌｌ  ＴＹＰＥより判定）し、デコーダ部２５０に再生前にその種別を設定する。ＭＰＵ部２００は、ＳＲデータと判定した場合に、再生するＣＥＬＬＩに基づき再生するＰＭＴ＿ＩＤを決め、該当するＰＭＴに基づき再生する各アイテム（ビデオ、オーディオ等）のＰＩＤを決め、デコーダ部２５０へ設定する。デコーダ部２５０は、そのＰＩＤを元に分離部２５１を経て各ＴＳパケットをビデオデコード部２５３、ＳＰデコード部２５４、オーディオデコード部２５５、ＴＳパケット転送部２５２へ送り、到着時間に従ってＳＴＢ／ＢＳデジタルチューナ部２６２へＴＳパケットの形で送信する。ビデオデコード部２５３、ＳＰデコード部２５４、オーディオデコード部２５５は信号をデコードし、デコードされた信号はＶミキシング部２６３（再生許可コンテンツ出力手段）を介してＤ／Ａ変換部２６５（再生許可コンテンツ出力手段）によりアナログ信号に変換され、ＴＶに出力される。ＶＲデータと判定された場合には、分離部２５１は、固定のＩＤに従い、信号をビデオデコード部２５３、ＳＰデコード部２５４、オーディオデコード部２５５へ振り分ける。ビデオデコード部２５３、ＳＰデコード部２５４、オーディオデコード部２５５は信号をデコードし、デコードされた信号はＤ／Ａ変換部２６５によりアナログ信号に変換され、ＴＶに出力される。
【００５０】
次に、図１３を参照して、情報記録再生装置における初期電源投入時の処理について説明する。図１３に示すように、電源投入に伴い、ディスクチェックが実行され（ＳＴ１０１）、ＥＸ＿ＶＭＧが確認され（ＳＴ１０２）、ＥＸ＿ＶＭＧが読み込まれ（ＳＴ１０３）、HDVR_UID.DATが読み込まれる（ＳＴ１０４）。もしくはレコーダ内のユーザー認証データが利用される。
【００５１】
この情報記録再生装置を利用するには、ユーザーの認証が必要である。つまり、認証手段としてのキー入力部２１０を介してユーザー名が入力され（ＳＴ１０５）、認証手段としてのユーザー認証Ｉ／Ｆ部２１４を介して認証データが入力される（ＳＴ１０６）。入力されたユーザー名及び認証データと、HDVR_UID.DAT（もしくはレコーダ内のデータ）に登録されたユーザー名と認証データとが照合される。その結果、管理ユーザーと判断されれば（ＳＴ１０８、ＮＯ）、つまり管理ユーザーとしてログインに成功した場合には、特に動作制限を受けることなくこの情報記録再生装置の利用が許可される。一般ユーザーと判断されれば（ＳＴ１０８、ＹＥＳ）、つまり一般ユーザーとしてログインに成功した場合には、設定された動作制限情報に基づきこの情報記録再生装置の利用が制限される。例えば、利用許可時間内であれば（ＳＴ１０９、ＹＥＳ）、ユーザー名が保存された上で（ＳＴ１１０）、利用が許可される。利用許可時間外であれば（ＳＴ１０９、ＮＯ）、利用許可時間外であることが案内され（ＳＴ１１１）、利用が許可されない。
【００５２】
これにより、例えば、両親（管理ユーザー）が不在でも、子供（一般ユーザー）が許可された時間以外での情報記録再生装置を利用（記録再生）することはできない。
【００５３】
次に、図１４を参照して、ユーザー登録処理について説明する。図１４に示すように、キー入力部２１０を介してユーザー登録が指示されると、HDVR_UID.DAT（もしくはレコーダ内のデータ）が読み込まれる（ＳＴ２０１）。また、登録手段としてのキー入力部２１０を介してユーザー名が入力されると（ＳＴ２０２）、既に登録済みの同名のユーザー名の有無がチェックされ（ＳＴ２０３）、同名のユーザー名が既に登録されている場合は（ＳＴ２０３、ＹＥＳ）、同名のユーザー名が既に登録されている旨が通知される（ＳＴ２０４）。
【００５４】
同名のユーザー名が登録されてなく（ＳＴ２０３、ＮＯ）、ユーザー認証Ｉ／Ｆ部２１４を介して認証データが入力され（ＳＴ２０５）、管理ユーザーとして登録する場合には（ＳＴ２０７、ＹＥＳ）、ユーザーレベル０が設定され（ＳＴ２０８）、一般ユーザーとして登録する場合には（ＳＴ２０７、ＮＯ）、ユーザーレベル１が設定される（ＳＴ２０９）。管理データ作成部２０１により、入力されたデータがHDVR_UID.DATに保存される（ＳＴ２１０）。
【００５５】
次に、図１５を参照して、一般ユーザーによるユーザー削除処理を説明する。図１５に示すように、キー入力部２１０を介してユーザー削除が指示されると、HDVR_UID.DATが読み込まれる（ＳＴ３０１）。また、キー入力部２１０を介してユーザー名（一般ユーザー名）が入力されると（ＳＴ３０２）、既に登録済みの同名のユーザー名の有無がチェックされ（ＳＴ３０３）、同名のユーザー名が登録されていない場合は（ＳＴ３０３、ＮＯ）、同名のユーザー名が登録されていない旨が通知される（ＳＴ３０４）。
【００５６】
同名のユーザー名が登録されていれば（ＳＴ３０３、ＹＥＳ）、ユーザー認証Ｉ／Ｆ部２１４を介して認証データが入力され（ＳＴ３０５）、入力されたユーザー名及び認証データと、HDVR_UID.DATに登録されたユーザー名と認証データとが照合される（ＳＴ３０６）。一致が確認できない場合には（ＳＴ３０６、ＮＯ）、認証データが不一致である旨が通知される（ＳＴ３０７）。一致が確認でき（ＳＴ３０６、ＹＥＳ）、一般ユーザーとして認識されると、管理データ作成部２０１により、入力されたユーザー名がHDVR_UID.DAT（もしくはレコーダ内のユーザーデータ）から削除される（ＳＴ３０８）。
【００５７】
次に、図１６を参照して、管理ユーザーによるユーザー削除処理を説明する。図１６に示すように、キー入力部２１０を介してユーザー削除が指示されると、HDVR_UID.DAT（もしくはレコーダ内のユーザーデータ）が読み込まれる（ＳＴ４０１）。また、キー入力部２１０を介してユーザー名（管理ユーザー名）が入力されると（ＳＴ４０２）、既に登録済みの同名のユーザー名の有無がチェックされ（ＳＴ４０３）、同名のユーザー名が登録されていない場合は（ＳＴ４０３、ＮＯ）、同名のユーザー名が登録されていない旨が通知される（ＳＴ４０４）。
【００５８】
同名のユーザー名が登録されていれば（ＳＴ４０３、ＹＥＳ）、ユーザー認証Ｉ／Ｆ部２１４を介して認証データが入力され（ＳＴ４０５）、入力されたユーザー名及び認証データと、HDVR_UID.DATに登録されたユーザー名と認証データとが照合される（ＳＴ４０６）。一致が確認できない場合には（ＳＴ４０６、ＮＯ）、認証データが不一致である旨が通知される（ＳＴ４０７）。一致が確認でき（ＳＴ４０６、ＹＥＳ）、管理ユーザーとして認識されると、削除対象のユーザー名（一般ユーザー名）の入力が催促され、キー入力部２１０を介してユーザー名（一般ユーザー名）が入力され（ＳＴ４０８）、削除が指示されると（ＳＴ４０９）（ＳＴ４１０）、管理データ作成部２０１により、入力されたユーザー名（一般ユーザ名）が、HDVR_UID.DATから削除される（ＳＴ４１１）。
【００５９】
次に、図１７を参照して、管理ユーザーによる一般ユーザーの動作許可時間の設定について説明する。図１７に示すように、キー入力部２１０を介して動作許可時間の設定が指示されると、HDVR_UID.DATが読み込まれる（ＳＴ５０１）。また、キー入力部２１０を介してユーザー名（管理ユーザー名）が入力されると（ＳＴ５０２）、既に登録済みの同名のユーザー名の有無がチェックされ（ＳＴ５０３）、同名のユーザー名が登録されていない場合は（ＳＴ５０３、ＮＯ）、同名のユーザー名が登録されていない旨が通知される（ＳＴ５０４）。
【００６０】
同名のユーザー名が登録されていれば（ＳＴ５０３、ＹＥＳ）、ユーザー認証Ｉ／Ｆ部２１４を介して認証データが入力され（ＳＴ５０５）、入力されたユーザー名及び認証データと、HDVR_UID.DATに登録されたユーザー名と認証データとが照合される（ＳＴ５０６）。一致が確認できない場合には（ＳＴ５０６、ＮＯ）、認証データが不一致である旨が通知される（ＳＴ５０７）。一致が確認でき（ＳＴ５０６、ＹＥＳ）、管理ユーザーとして認識されると、制限対象のユーザー名（一般ユーザー名）の入力が催促され、受付手段としてのキー入力部２１０を介してユーザー名（一般ユーザー名）が入力され（ＳＴ５０８）、さらに受付手段としてのキー入力部２１０を介して動作許可時間帯（動作許可開始時間及び動作許可終了時間）が入力されると（ＳＴ５０９）、管理データ作成部２０１により、入力されたユーザー名（一般ユーザ名）に対して入力された動作許可時間帯が対応付けられて、HDVR_UID.DAT（もしくはレコーダ内のユーザーデータ）に保存される（ＳＴ５１０）。
【００６１】
次に、図１８及び図１９を参照して、予約の設定について説明する。予定の設定の前提として、図１３に示す初期電源投入時の処理が実行されているものとする。つまり、管理ユーザー又は利用が許された一般ユーザー（ログインユーザ）により、キー入力部２１０を介して予約の設定が指示されると、HDVR_UID.DATが読み込まれる（ＳＴ６０１）。さらに、ＥＰＧが表示される（ＳＴ６０２）。表示されたＥＰＧ上から、キー入力部２１０を介して録画予約番組を選択する（ＳＴ６０３）。このとき、図１９に示すように、画面上で、ユーザー制限を設定するか否かが問い合わせられる。ユーザー制限を設定する場合であって（ＳＴ６０４）（ＳＴ６０５、ＹＥＳ）、ユーザー制限を設定する設定者が管理ユーザーの場合は（ＳＴ６０６、ＹＥＳ）、図１９に示すように、画面上でユーザー名の入力が催促され、これに対応して受付手段としてのキー入力部２１０を介して再生を許可する一般ユーザー名を入力する（ＳＴ６０８）。これにより、再生許可のユーザが設定される（ＳＴ６０９）。なお、管理ユーザー自身の視聴を制限することはできない。ユーザー制限を設定する設定者が一般ユーザーの場合は（ＳＴ６０６、ＮＯ）、少なくともこの設定者（一般ユーザー）が再生許可ユーザーとして設定される（ＳＴ６０７）（ＳＴ６０９）。さらに、この設定者（一般ユーザー）に対して、上記選択された録画予約番組の放送局の録画が禁止対象となっているか否か、さらには上記選択された録画予約番組のタイトル情報に禁止ワードが含まれていないか否かを動作制限情報に基づき判定し（ＳＴ６１０）（ＳＴ６１２）、録画禁止対象となっている場合又は禁止ワードが含まれている場合は（ＳＴ６１０、ＹＥＳ）、録画禁止対象となっている旨を通知する（ＳＴ６１１）。つまり、録画予約を受け付けない（記録動作を制限する）。録画禁止対象でなく（ＳＴ６１０、ＮＯ）、禁止ワードも含まれていなければ（ＳＴ６１２、ＮＯ）、上記選択された録画予約番組の録画予約情報が設定される（ＳＴ６１３）。
【００６２】
次に、図２０を参照して、録画前処理について説明する。図２０に示すように、録画前には、DVD_HDVRディレクトリが確認され（ＳＴ７０１）、DVD_HDVRディレクトリが無い場合には（ＳＴ７０１、ＮＯ）、DVD_HDVRディレクトリが作成される（ＳＴ７０２）。DVD_HDVRディレクトリが有る場合でも（ＳＴ７０１、ＹＥＳ）、エラーの発生が確認されると（ＳＴ７０３、ＹＥＳ）、ファイルシステムでエラーが発生したことが通知される（ＳＴ７０４）。
【００６３】
通常録画（予約録画ではない）の場合には（ＳＴ７０５、ＮＯ）、ユーザー制限の設定が確認され（ＳＴ７０６）、ユーザー制限しない場合には（ＳＴ７０６、ＮＯ）、ユーザー制限は設定されない（ＳＴ７０８）。ユーザー制限する場合には（ＳＴ７０６、ＹＥＳ）、現在のユーザー名（ログインユーザー）を許可ユーザーとして管理情報に設定する（ＳＴ７０７）。さらに、動作制限情報を読み出して（ＳＴ７１３）、録画対象番組が、現在のユーザー（ログインユーザー）に対して設定された録画禁止放送局の番組に該当しないことを確認し（ＳＴ７１４、ＹＥＳ）、録画対象番組のタイトル情報に、現在のユーザーに対して設定された禁止ワードが含まれていないことを確認し（ＳＴ７１８、ＮＯ）、録画が許可される。つまり、ＶＭＧを確認し（ＳＴ７１９）、ＶＭＧが有れば（ＳＴ７１９、ＹＥＳ）、ＶＭＧを読み出し（ＳＴ７２０）、ＶＭＧが無ければ（ＳＴ７１９、ＮＯ）、ＶＭＧを作成し（ＳＴ７２１）、録画開始に備える（ＳＴ７２２）。
【００６４】
一方、予約録画の場合で（ＳＴ７０５、ＹＥＳ）、ユーザー制限が設定されている場合には（ＳＴ７０９、ＹＥＳ）、予約情報内のユーザー制限を管理情報に設定する（ＳＴ７１０）。予約ユーザーと現在のユーザー（ログインユーザー）が違う場合には、録画中の画面をミュートに設定する（ＳＴ７１２）。つまり、録画中の画面を画面出力しない（もしくは再生を中止する）。その後、ＥＸ＿ＶＭＧを確認し（ＳＴ７１９）、ＥＸ＿ＶＭＧが有れば（ＳＴ７１９、ＹＥＳ）、ＥＸ＿ＶＭＧを読み出し（ＳＴ７２０）、ＥＸ＿ＶＭＧが無ければ（ＳＴ７１９、ＮＯ）、ＥＸ＿ＶＭＧを作成し（ＳＴ７２１）、録画開始に備える（ＳＴ７２２）。
【００６５】
次に、図２１を参照して、再生処理について説明する。再生処理の前提として、図１３に示す初期電源投入時の処理が実行されているものとする。情報記録再生装置は、再生対象のディスクからＥＸ＿ＶＭＧを読み込み（ＳＴ８０１）、管理ユーザー又は利用が許された一般ユーザー（ログインユーザ）により、キー入力部２１０を介して再生を開始するＰＧが選択される（ＳＴ８０２）。管理ユーザーによる再生開始指示の場合には（ＳＴ８０３、ＹＥＳ）、特に再生制限はなく、選択されたＰＧの再生が開始される（ＳＴ８０８、ＳＴ８０９、ＳＴ８１０）。一般ユーザーによる再生開始指示の場合には（ＳＴ８０３、ＮＯ）、現在のユーザー（ログインユーザー）に対して設定された動作制限情報が読み出され（ＳＴ８０４）、現在のユーザー（ログインユーザー）が許可されたユーザーに該当しなければ（ＳＴ８０６、ＮＯ）、再生動作が制限され（再生が禁止され）、再生が許可されていない旨が通知される（ＳＴ８０７）。現在のユーザー（ログインユーザー）が許可されたユーザーに該当すれば（ＳＴ８０６、ＹＥＳ）、選択されたＰＧの再生が開始される（ＳＴ８０８、ＳＴ８０９、ＳＴ８１０）。
【００６６】
次に、図２２を参照して、メニュー画面再生処理を説明する。メニュー画面再生処理の前提として、図１３に示す初期電源投入時の処理が実行されているものとする。情報記録再生装置は、再生対象のディスクからＶＭＧを読み込み（ＳＴ９０１）、管理ユーザー又は利用が許された一般ユーザー（ログインユーザ）により、キー入力部２１０を介してメニュー画面再生が指示されると、ＰＧを検索し、タイトルが検出され（ＳＴ９０２）、さらに、メニュー画面再生の準備が進められる（ＳＴ９０３、ＳＴ９０４、ＳＴ９０５）。
【００６７】
現在のユーザー（ログインユーザー）が、管理ユーザーの場合には、特に制限を受けることなく、サムネール（縮小画像）が取り出されメニュー画面が再生される（ＳＴ９０９、ＳＴ９１０、ＳＴ９１１、ＳＴ９１２、ＳＴ９１３、ＳＴ９１４、ＳＴ９１５、ＳＴ９１６、ＳＴ９１７）。現在のユーザー（ログインユーザー）が、一般ユーザーの場合には、この現在のユーザーに対する動作制限情報をチェックし、サムネール（縮小画像）が取り出され、再生が禁止されているタイトルがカットされた状態で、メニュー画面が再生される（ＳＴ９０９、ＳＴ９１０、ＳＴ９１１、ＳＴ９１２、ＳＴ９１３、ＳＴ９１４、ＳＴ９１５、ＳＴ９１６、ＳＴ９１７）。これにより、再生が許可されたタイトルのみでタイトルメニューを作成することが可能となる。
【００６８】
次に、図２３を参照して、動作時間監視処理について説明する。動作時間管理処理の前提として、図１３に示す初期電源投入時の処理が実行されているものとする。管理ユーザーによりログインされている場合には（ＳＴ１００１、ＮＯ）、特に動作時間は制限されない。一般ユーザーによりログインされている場合には（ＳＴ１００１、ＹＥＳ）、一定時間毎に、許可された時間帯内か否かをチェックする（ＳＴ１００２）。許可された時間帯から外れた場合には（ＳＴ１００２、ＹＥＳ）、利用許可時間外になった旨を通知し（ＳＴ１００３）、各処理を中止し（ＳＴ１００４）、電源ＯＦＦ処理へ移行する。これにより、一般ユーザー（例えば子供）の利用時間帯を、管理ユーザー（例えば親）が設定した時間帯に制限することができる。
【００６９】
以上説明したように、この情報記録再生装置によれば、キー入力部２１０及びユーザー認証Ｉ／Ｆ部２１４により管理ユーザー及び一般ユーザーを登録し、キー入力部２１０及びユーザ認証Ｉ／Ｆ部２１４によりユーザーを認証し、管理ユーザーとして認証されることを条件としてキー入力部２１０により一般ユーザーによる記録動作を制限する制限情報の入力を受け付け、管理データ作成部２０１により制限情報に基づきHDVR_UIDが作成され、ディスクドライブ部２２２によりこの制限情報（HDVR_UID）を情報記憶媒体の管理領域へ記録し（或いは管理データ作成部２０１内のメモリによりこの制限情報（HDVR_UID）を記憶し）、キー入力部２１０及びユーザー認証Ｉ／Ｆ部２１４により一般ユーザーとして認証されることを条件として情報記憶媒体の管理領域に記録された制限情報（HDVR_UID）（或いは管理データ作成部２０１内のメモリにより記憶された制限情報（HDVR_UID））に基づき、ＭＰＵ部２００により記録動作が制限される。つまり、ＭＰＵ部２００は、記録動作制御手段として機能する。具体的には、コンテンツを再生時に許可されたユーザーかどうかを判定するユーザー判定手段、及び許可されていないユーザーと判定された場合にコンテンツの出力を中止する出力中止制御手段として機能する。
【００７０】
また、この情報記録再生装置によれば、キー入力部２１０及びユーザー認証Ｉ／Ｆ部２１４により管理ユーザー及び一般ユーザーを登録し、キー入力部２１０及びユーザー認証Ｉ／Ｆ部２１４によりユーザーを認証し、管理ユーザーとして認証されることを条件としてキー入力部２１０により一般ユーザーによる再生動作を制限する制限情報の入力を受け付け、管理データ作成部２０１により制限情報に基づきHDVR_UIDが作成され、ディスクドライブ部２２２によりこの制限情報（HDVR_UID）を情報記憶媒体の管理領域へ記録し（或いは管理データ作成部２０１内のメモリによりこの制限情報（HDVR_UID）を記憶し）、キー入力部２１０及びユーザー認証Ｉ／Ｆ部２１４により一般ユーザーとして認証されることを条件として情報記憶媒体の管理領域に記録された制限情報（HDVR_UID）（或いは管理データ作成部２０１内のメモリにより記憶された制限情報（HDVR_UID））に基づき、ＭＰＵ部２００により再生動作が制限される。つまり、ＭＰＵ部２００は、再生動作制御手段として機能する。具体的には、コンテンツを再生時に許可されたユーザーかどうかを判定するユーザー判定手段、及び許可されていないユーザーと判定された場合にコンテンツの出力を中止する出力中止制御手段として機能する。
【００７１】
以上により、細かい動作制限をユーザー毎に設定することができる。
【００７２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７３】
【図１】本発明の情報記録再生装置（情報記録装置／情報再生装置）により記録再生可能な情報記憶媒体（ＤＶＤディスク）のデータ構造の一例を示す図である。
【図２】情報記憶媒体の再生管理情報層のデータ構造の一例を示す図である。
【図３】情報記憶媒体のDVD_HDVRディレクトリのデータ構造の一例を示す図である。
【図４】情報記憶媒体のHDVR_MGのデータ構造の一例を示す図である。
【図５】情報記憶媒体のEVOBI_GI内にUser_Number / User_Name を設定するケースを示す図である。
【図６】情報記憶媒体のESOBI_GI内にUser_Number / User_Name を設定するケースを示す図である。
【図７】情報記憶媒体のＰＧＣのデータ構造の一例を示す図である。
【図８】情報記憶媒体のPGI内又はCELLI内にUser_Number / User_Name を設定するケースを示す図である。
【図９】情報記憶媒体のHDVR_UIDのデータ構造の一例を示す図である。
【図１０】情報記憶媒体のEX_MNFITのデータ構造の一例を示す図である。
【図１１】情報記憶媒体のEX_MNFIT内にUser_Number / User_Name を設定するケースを示す図である。
【図１２】本発明の一例に係る情報記録再生装置（情報記録装置／情報再生装置）の概略構成を示す図である。
【図１３】情報記録再生装置における初期電源投入時の処理について説明するためのフローチャートである。
【図１４】ユーザー登録処理について説明するためのフローチャートである。
【図１５】一般ユーザーによるユーザー削除処理を説明するためのフローチャートである。
【図１６】管理ユーザーによるユーザー削除処理を説明するためのフローチャートである。
【図１７】管理ユーザーによる一般ユーザーの動作許可時間の設定について説明するためのフローチャートである。
【図１８】予約の設定について説明するためのフローチャートである。
【図１９】予約の設定について説明するための画面遷移図である。
【図２０】録画前処理について説明するためのフローチャートである。
【図２１】再生処理について説明するためのフローチャートである。
【図２２】メニュー画面再生処理を説明するためのフローチャートである。
【図２３】動作時間監視処理について説明するためのフローチャートである。
【符号の説明】
【００７４】
２００…ＭＰＵ部、２１０…キー入力部、２１２…表示部、２１４…ユーザー認証Ｉ／Ｆ部、２１６…時計部、２１８…ＬＡＮ Ｉ／Ｆ（イーサネット（登録商標）Ｉ／Ｆ）部、２２０…緊急放送検出部、２２２…ディスクドライブ部、２２４…ＨＤＤ部、２２６…Ｄ−ＰＲＯ部、２２８…一時記憶部、２３０…Ａ／Ｖ入力部、２３２…地上波チューナー部、２３４…地上波デジタルチューナ部、２４０…エンコーダ部、２５０…デコーダ部、２６０…ＳＴＣ部、２６１…ＰＡＴＳ用の内部カウンタ、２６２…ＳＴＢ／ＢＳデジタルチューナ部、２６３…Ｖミキシング部、２６４…フレームメモリ部、２６５…ＴＶ用Ｄ／Ａ部
【図１】
2006107556.tif 000003
【図２】
2006107556.tif 000004
【図３】
2006107556.tif 000005
【図４】
2006107556.tif 000006
【図５】
2006107556.tif 000007
【図６】
2006107556.tif 000008
【図７】
2006107556.tif 000009
【図８】
2006107556.tif 000010
【図９】
2006107556.tif 000011
【図１０】
2006107556.tif 000012
【図１１】
2006107556.tif 000013
【図１２】
2006107556.tif 000014
【図１３】
2006107556.tif 000015
【図１４】
2006107556.tif 000016
【図１５】
2006107556.tif 000017
【図１６】
2006107556.tif 000018
【図１７】
2006107556.tif 000019
【図１８】
2006107556.tif 000020
【図１９】
2006107556.tif 000021
【図２０】
2006107556.tif 000022
【図２１】
2006107556.tif 000023
【図２２】
2006107556.tif 000024
【図２３】
2006107556.tif 000025